【手続補正書】
【提出日】平成22年11月24日(2010.11.24)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
昇圧回路と、第１のアンテナと、二次電池と、を有し、
前記昇圧回路は、ｎ個（ｎ：自然数、３≦ｎ）のダイオードと、ｎ−１個の容量素子と、を有し、
前記ｎ個のダイオードのうちの第１のダイオードの入力端子には、前記第１のアンテナからの第１の電位を供給する手段が電気的に接続され、
前記ｎ個のダイオードのうちの第ｍ（ｍ：自然数、２≦ｍ≦ｎ）のダイオードの入力端子には、前記ｎ−１個の容量素子のうちの第ｍ−１の容量素子の一方の端子が電気的に接続され、且つ前記ｎ個のダイオードのうちの第ｍ−１のダイオードの出力端子が電気的に接続され、
前記ｎ−１個の容量素子の他方の端子には、第３の電位と、前記二次電池からの第２の電位とを選択的に供給する電位供給手段が電気的に接続され、
前記電位供給手段は、前記ｎ−１個の容量素子のうちの第２ｋ（ｋ：自然数、２ｋ≦ｎ−１）の容量素子の他方の端子に前記第２の電位を供給するときには、前記ｎ−１個の容量素子のうちの第２ｋ−１（ｋ：自然数、２ｋ−１≦ｎ−１）の容量素子の他方の端子に前記第３の電位を供給し、前記第２ｋの容量素子の他方の端子に前記第３の電位を供給するときには、前記第２ｋ−１の容量素子の他方の端子に前記第２の電位を供給する手段であることを特徴とする半導体装置。
【請求項２】
請求項１において、
前記電位供給手段は、前記第２の電位と前記第３の電位の供給先を交互に切り替える手段を有することを特徴とする半導体装置。
【請求項３】
昇圧回路と、第１のアンテナと、二次電池と、を有し、
前記昇圧回路は、ｎ個（ｎ：自然数、３≦ｎ）のダイオードと、ｎ−１個の容量素子と、バッファ回路と、インバータ回路と、を有し、
前記ｎ個のダイオードのうちの第１のダイオードの入力端子には、前記第１のアンテナからの第１の電位を供給する手段が電気的に接続され、
前記ｎ個のダイオードのうちの第ｍ（ｍ：自然数、２≦ｍ≦ｎ）のダイオードの入力端子には、前記ｎ−１個の容量素子のうちの第ｍ−１の容量素子の一方の端子が電気的に接続され、且つ前記ｎ個のダイオードのうちの第ｍ−１のダイオードの出力端子が電気的に接続され、
前記バッファ回路の入力端子には、前記第１のアンテナからの電力に基づいたクロック信号が入力され、
前記バッファ回路の出力端子は、前記ｎ−１個の容量素子のうちの第２ｋ（ｋ：自然数、２ｋ≦ｎ−１）の容量素子の他方の端子、及び前記ｎ−１個の容量素子のうちの第２ｋ−１（ｋ：自然数、２ｋ−１≦ｎ−１）の容量素子の他方の端子の一方と電気的に接続され、
前記インバータ回路の入力端子は、前記バッファ回路の出力端子と電気的に接続され、
前記インバータ回路の出力端子は、前記第２ｋの容量素子の他方の端子及び前記２ｋ−１の容量素子の他方の端子の他方と電気的に接続され、
前記バッファ回路及び前記インバータ回路には、電源電位として第２の電位と第３の電位とが供給され、
前記バッファ回路及び前記インバータ回路に供給される前記第２の電位は、前記二次電池から供給される電位であることを特徴とする半導体装置。
【請求項４】
請求項１乃至請求項３のいずれか一項において、
前記二次電池は、前記第１のアンテナから供給される電力によって充電されることを特徴とする半導体装置。
【請求項５】
請求項１乃至請求項４のいずれか一項において、
充電回路を有し、
前記充電回路は、整流回路と、電圧制御回路と、スイッチ素子と、充電制御回路と、を有し、
前記整流回路の入力端子は、前記第１のアンテナと電気的に接続され、
前記整流回路の出力端子は、前記電圧制御回路の入力端子と電気的に接続され、
前記電圧制御回路の出力端子は、前記スイッチ素子を介して前記二次電池と電気的に接続され、
前記充電制御回路は、前記二次電池の充電状況をモニタし、前記二次電池の前記充電状況に応じて前記スイッチ素子のオン又はオフを制御することを特徴とする半導体装置。
【請求項６】
請求項１乃至請求項３のいずれか一項において、
第２のアンテナを有し、
前記二次電池は、前記第２のアンテナから供給される電力によって充電されることを特徴とする半導体装置。
【請求項７】
請求項１乃至請求項３のいずれか一項において、
第２のアンテナと、充電回路を有し、
前記充電回路は、整流回路と、電圧制御回路と、スイッチ素子と、充電制御回路と、を有し、
前記整流回路の入力端子は、前記第２のアンテナと電気的に接続され、
前記整流回路の出力端子は、前記電圧制御回路の入力端子と電気的に接続され、
前記電圧制御回路の出力端子は、前記スイッチ素子を介して前記二次電池と電気的に接続され、
前記充電制御回路は、前記二次電池の充電状況をモニタし、前記二次電池の前記充電状況に応じて前記スイッチ素子のオン又はオフを制御することを特徴とする半導体装置。
【請求項８】
昇圧回路と、第１のアンテナと、第１の二次電池と、第２の二次電池と、を有し、
前記昇圧回路は、ｎ個（ｎ：自然数、３≦ｎ）のダイオードと、ｎ−１個の容量素子と、バッファ回路と、インバータ回路と、を有し、
前記ｎ個のダイオードのうちの第１のダイオードの入力端子には、前記第１のアンテナからの第１の電位を供給する手段が電気的に接続され、
前記ｎ個のダイオードのうちの第ｍ（ｍ：自然数、２≦ｍ≦ｎ）のダイオードの入力端子には、前記ｎ−１個の容量素子のうちの第ｍ−１の容量素子の一方の端子が電気的に接続され、且つ前記ｎ個のダイオードのうちの第ｍ−１のダイオードの出力端子が電気的に接続され、
前記バッファ回路の入力端子には、前記第１のアンテナからの電力に基づいたクロック信号が入力され、
前記バッファ回路の出力端子は、前記ｎ−１個の容量素子のうちの第２ｋ（ｋ：自然数、２ｋ≦ｎ−１）の容量素子の他方の端子、及び前記ｎ−１個の容量素子のうちの第２ｋ−１（ｋ：自然数、２ｋ−１≦ｎ−１）の容量素子の他方の端子の一方と電気的に接続され、
前記インバータ回路の入力端子は、前記バッファ回路の出力端子と電気的に接続され、
前記インバータ回路の出力端子は、前記第２ｋの容量素子の他方の端子及び前記２ｋ−１の容量素子の他方の端子の他方と電気的に接続され、
前記バッファ回路及び前記インバータ回路には、電源電位として第２の電位と第３の電位とが供給され、
前記バッファ回路に供給される前記第２の電位は、前記第１の二次電池から供給される電位であり、
前記インバータ回路に供給される前記第２の電位は、前記第２の二次電池から供給される電位であることを特徴とする半導体装置。
【請求項９】
請求項８において、
前記第１の二次電池及び前記第２の二次電池は、前記第１のアンテナから供給される電力によって充電されることを特徴とする半導体装置。
【請求項１０】
請求項８又は請求項９において、
第１の充電回路と、第２の充電回路と、を有し、
前記第１の充電回路は、第１の整流回路と、第１の電圧制御回路と、第１のスイッチ素子と、第１の充電制御回路と、を有し、
前記第１の整流回路の入力端子は、前記第１のアンテナと電気的に接続され、
前記第１の整流回路の出力端子は、前記第１の電圧制御回路の入力端子と電気的に接続され、
前記第１の電圧制御回路の出力端子は、前記第１のスイッチ素子を介して前記第１の二次電池と電気的に接続され、
前記第１の充電制御回路は、前記第１の二次電池の充電状況をモニタし、前記第１の二次電池の前記充電状況に応じて前記第１のスイッチ素子のオン又はオフを制御し、
前記第２の充電回路は、第２の整流回路と、第２の電圧制御回路と、第２のスイッチ素子と、第２の充電制御回路と、を有し、
前記第２の整流回路の入力端子は、前記第１のアンテナと電気的に接続され、
前記第２の整流回路の出力端子は、前記第２の電圧制御回路の入力端子と電気的に接続され、
前記第２の電圧制御回路の出力端子は、前記第２のスイッチ素子を介して前記第２の二次電池と電気的に接続され、
前記第２の充電制御回路は、前記第２の二次電池の充電状況をモニタし、前記第２の二次電池の前記充電状況に応じて前記第２のスイッチ素子のオン又はオフを制御することを特徴とする半導体装置。
【請求項１１】
請求項８において、
第２のアンテナを有し、
前記第１の二次電池及び前記第２の二次電池は、前記第２のアンテナから供給される電力によって充電されることを特徴とする半導体装置。
【請求項１２】
請求項８において、
第２のアンテナと、第１の充電回路と、第２の充電回路と、を有し、
前記第１の充電回路は、第１の整流回路と、第１の電圧制御回路と、第１のスイッチ素子と、第１の充電制御回路と、を有し、
前記第１の整流回路の入力端子は、前記第２のアンテナと電気的に接続され、
前記第１の整流回路の出力端子は、前記第１の電圧制御回路の入力端子と電気的に接続され、
前記第１の電圧制御回路の出力端子は、前記第１のスイッチ素子を介して前記第１の二次電池と電気的に接続され、
前記第１の充電制御回路は、前記第１の二次電池の充電状況をモニタし、前記第１の二次電池の前記充電状況に応じて前記第１のスイッチ素子のオン又はオフを制御し、
前記第２の充電回路は、第２の整流回路と、第２の電圧制御回路と、第２のスイッチ素子と、第２の充電制御回路と、を有し、
前記第２の整流回路の入力端子は、前記第２のアンテナと電気的に接続され、
前記第２の整流回路の出力端子は、前記第２の電圧制御回路の入力端子と電気的に接続され、
前記第２の電圧制御回路の出力端子は、前記第２のスイッチ素子を介して前記第２の二次電池と電気的に接続され、
前記第２の充電制御回路は、前記第２の二次電池の充電状況をモニタし、前記第２の二次電池の前記充電状況に応じて前記第２のスイッチ素子のオン又はオフを制御することを特徴とする半導体装置。
【請求項１３】
請求項１乃至請求項１２のいずれか一項において、
電源回路と、定電圧回路と、を有し、
前記第１の電位は、前記第１のアンテナから前記電源回路及び前記定電圧回路を介して供給される電位であることを特徴とする半導体装置。